(57)【要約】【課題】モバイル機器の取り付け装置を簡単な作業にて使用可能とする。【解決手段】シートバック１４の背面において、表皮材２６のうち上下に延びる帯状部２６Ｂの下部が上方に折り返し可能とされており、折り返し部分２６Ｂｂにはモバイル装置９０の取り付け装置６０が固定されている。帯状部２６Ｂの上下方向の中間部分には、帯状部２６Ｂよりも剛性の大きい樹脂板３０Ａ，３０Ｂが張られて設けられている。帯状部２６Ｂは折り返す際に樹脂板３０Ａ，３０Ｂが張られた箇所の折り曲げは規制されてその前後両側位置で折れ曲がり、側面視において三角形をなすような規定の立体的形状に設定される。【選択図】図２
2013112034.tif 000002
【特許請求の範囲】
【請求項１】
着座者の背凭れとなるシートバックと、
該シートバックの後側にモバイル機器の保持手段とを備える車両用シートであって、
前記保持手段は、
シートバックの後側に上下方向に延設される帯状部材と、
該帯状部材の下部を上方へ折り返し下端をシートバック上部に固定する固定部材と、
前記帯状部材の折り返された部分に取り付けられたモバイル機器の取り付け装置と、
前記取り付け装置の取り付け角度を規定する角度規定部材とを有することを特徴とする車両用シート。
【請求項２】
請求項１に記載の車両用シートであって、
前記角度規定部材は前記帯状部材に設けられた板状の剛性部材であることを特徴とする車両用シート。
【請求項３】
請求項２に記載の車両用シートであって、
前記板状の剛性部材は前記帯状部材の上下方向の中間部分に張られて設けられており、前記帯状部材は折り返されたとき前記剛性部材が張られた箇所の前後位置で折れ曲がった状態となることを特徴とする車両用シート。
【発明の詳細な説明】
【技術分野】
【０００１】
本発明は、シートバックの後側にモバイル機器の保持装置を有する車両用シートに関する。
【背景技術】
【０００２】
着座者の背凭れ部分となるシートバックの後側に、タブレットコンピュータや電子ブックリーダ等のモバイル機器を取り付けるの装置を備える車両用シートが従来知られている。このような車両用シートによれば、当該シートの背後のシートの着座者がモバイル機器を手に持つことなく当該シートバックの後側に取り付けられた状態のまま使用することができる。これに関連する技術として、下記特許文献１にはモバイル機器として小型のテレビ受像機を取り付け可能としたシートが開示されている。
【先行技術文献】
【特許文献】
【０００３】
【特許文献１】特開平０３−１２８００７号公報
【発明の概要】
【発明が解決しようとする課題】
【０００４】
しかしながら、上記特許文献１に開示されているモバイル機器の取り付け装置は、ヘッドレストをシートバックから取り外した上で、ヘッドレスト又はシートバックに取り付けて使用するものであったため、取り付け作業が煩雑であった。
【０００５】
本発明は、このような問題点に鑑みてなされたものであり、本発明が解決しようとする課題は、モバイル機器の取り付け装置を簡単な作業にて使用可能とすることにある。
【課題を解決するための手段】
【０００６】
上記課題を解決するため、本発明に係る車両用シートは次の手段をとる。
本発明の第１の発明に係る車両用シートは、着座者の背凭れとなるシートバックと、該シートバックの後側にモバイル機器の保持手段とを備える車両用シートであって、前記保持手段は、シートバックの後側に上下方向に延設される帯状部材と、該帯状部材の下部を上方へ折り返し下端をシートバック上部に固定する固定部材と、前記帯状部材の折り返された部分に取り付けられたモバイル機器の取り付け装置と、前記取り付け装置の取り付け角度を規定する角度規定部材とを有することを特徴とする。
この構成によれば、上下方向に延設される帯状部材の下部を上方に折り返し、固定部材により下端をシートバックの上部に固定する簡単な作業により、モバイル機器の取り付け装置が使用可能となる。また、角度規定部材が取り付け装置の取り付け角度を規定するため、モバイル機器の向きを最適な向きに設定することができ使用性が向上する。
【０００７】
本発明の第２の発明に係る車両用シートは、本発明の第１の発明に係る車両用シートであって、前記角度規定部材は前記帯状部材に設けられた板状の剛性部材であることを特徴とする。
この構成によれば、角度規定部材が板状の剛性部材であり、本発明を簡素な部材で構成することができる。
【０００８】
本発明の第１の発明に係る車両用シートは、本発明の第２の発明に係る車両用シートであって、前記板状の剛性部材は前記帯状部材の上下方向の中間部分に張られて設けられており、前記帯状部材は折り返されたとき前記剛性部材が張られた箇所の前後位置で折れ曲がった状態となることを特徴とする。
この構成によれば、板状の剛性部材は帯状部材の上下方向の中間部分に張られて、帯状部材は折り返されたとき剛性部材が張られた箇所の前後位置で折れ曲がった状態となる。このため、角度規定部材が簡素な板状部材であっても帯状部材の形状を自由度の高い規定の立体的形状とすることができるため、モバイル機器の向きをより最適な向きに設定することができる。
【発明の効果】
【０００９】
第１の発明によれば、簡単な作業によりモバイル機器の取り付け装置が使用可能となるとともに、モバイル機器の向きを最適な向きに設定することができ使用性が向上する。
第２の発明によれば、本発明を簡素な部材で構成することができる。
第３の発明によれば、モバイル機器の向きをより最適な向きに設定することができる。
【図面の簡単な説明】
【００１０】
【図１】第１の実施形態に係る車両用シートを示す断面図である。
【図２】図１のシートにおいて、表皮材の帯状部を折り返してモバイル機器を取り付けた状態を示す断面図である。
【図３】取り付け装置のシート側構造を示す部分拡大図である。
【図４】取り付け装置のモバイル機器側構造を示す部分断面図である。
【図５】図４の構造における把持金具の作用を示す部分拡大図である。
【図６】図２のシートを示す斜視図である。
【図７】折り返しを通常の状態に戻し、モバイル機器を収納した状態を示す断面図である。
【図８】第１の実施形態の変形例において、主要部を示す断面図である。
【図９】第２の実施形態に係る車両用シートを示す斜視図である。
【図１０】シートバック背面の表皮材の帯状部を上方に折り返した状態を示す側面図である。
【図１１】モバイル機器の取り付け装置周辺を示す部分断面図である。
【図１２】モバイル機器の取り付け装置の分解斜視図である。
【図１３】モバイル機器が９０度回転可能であることを説明する図である。
【発明を実施するための形態】
【００１１】
（第１の実施形態）
以下、図面を参照しながら本発明を実施するための第１の形態を説明する。
車両に備えられて乗員が使用するシート１０において、図１には着座部であるシートクッション１２のフレームの一部と、シートバック１４とが示されている。本実施形態のシートバック１４は、着座者の後頭部を支持するヘッドレスト部１４Ｈが、背面を支持する背凭れ部１４Ｂから取り外し不可能に一体的に形成されている。シートバック１４は、シートクッション１２の後端部に連結されている（図６参照）。この連結部にはリクライニング装置が設けられ、シートバック１４のシートクッション１２に対する固定角度を調節可能としている。
シートバック１４は、その骨格を成す部材としてシートバックフレーム２０を備える。シートバックフレーム２０は、概してサイドフレーム２１，２１とアッパフレーム２２とヘッドレストフレーム２３とにより構成される。このうち、サイドフレーム２１，２１とアッパフレーム２２は背凭れ部１４Ｂの骨格を成し、ヘッドレストフレーム２３はヘッドレスト部１４Ｈの骨格を成す。サイドフレーム２１，２１は、金属板を加工した長手の部材であり、左右両側において上下方向に延びるように配設されている。アッパフレーム２２は、金属製の丸パイプ部材であり、両端が下方に曲げ加工されて、左右の両サイドフレーム２１，２１の上端部を繋ぐように固定されている。ヘッドレストフレーム２３は、金属製の丸棒部材であり、上辺と左右側辺とを有するコの字状に曲げ加工されて、両側辺下部がシートバック１４のアッパフレーム２２に固定されている。
シートバックフレーム２０の後側には、車内で使用するモバイル機器９０等の各種物品を収納可能な収納ケース４０が設けられている。収納ケース４０は、シート１０の後方に向けた開口を有する広く浅い容器であり、その底部に設けられたクリップ４２をサイドフレーム２１，２１の後端部に係止させることにより固定されている。
シートバック１４には、シートバック１４の外形を形成する部材として、パッド材２４と表皮材２６とを備える。パッド材２４は、、着座者の背部や後頭部を受ける面等、クッション性が必要な箇所に設けられるクッション部材であり、シートバックフレーム２０に被せるようにして取り付けられている。表皮材２６は、上記シートバックフレーム２０、パッド材２４、収納ケース４０を覆うように設けられた織物であり、シートバック１４の外表面を構成している。
【００１２】
表皮材２６は、シートバック１４の背面の一部を構成する上下に長い長方形部分が、以下に説明するような帯状部２６Ｂとされている。本発明でいう帯状部材は、本実施形態におけるこの帯状部２６Ｂが相当する。以下の説明中において、帯状部２６Ｂの上側に隣接する部分を背面上部２６Ｕ、下側に隣接する部分を背面下部２６Ｌという。
表皮材２６の帯状部２６Ｂは、下側の約半分の部分が折り返し部分２６Ｂｂとして上方に折り返し可能となっている。すなわち折り返し部分２６Ｂｂは、左右の側辺と下辺とが周囲の表皮材２６から切り離された端部となっている。帯状部２６Ｂが上方に折り返されると、折り返す前の通常の状態においてシートバック１４の内側となっていた面（裏面）が外側に露出する。一方、帯状部２６Ｂの上側の残りの部分は、折り返されずに周囲の表皮材２６と共にシートバック１４の背面の一部として留まる固定部分２６Ｂａであり、上記の折り返し部分２６Ｂｂの折り返しはこの固定部分２６Ｂａの上（後側）に重ねられるようにしてなされる。固定部分２６Ｂａのうちパッド材２４と接している上側の部分はパッド材２４に対して一体的に固定されている。
折り返し部分２６Ｂｂは、折り返されないままシートバック１４の外表面を成す通常の状態と、上方に折り返されて固定部分２６Ｂａの後側に重ねられた状態とに、線ファスナーを用いて保持可能となっている。線ファスナーは、端縁に沿って複数の歯が一列に並べられたテープと、この歯の噛み合わせ及び解除が可能なスライダとを有し、対向配置された一対のテープの端縁同士をスライダの操作により接合及び脱離可能とした公知の機構である。線ファスナーのテープ５０Ｕ，５０Ｌ，５０Ｂは、表皮材２６の背面上部２６Ｕと、背面下部２６Ｌと、帯状部２６Ｂの折り返し部分２６Ｂｂの下端部の３箇所において、それぞれシート１０の幅方向に延びるように縫い付けられている。背面上部２６Ｕ及び背面下部２６Ｌのテープ５０Ｕ，５０Ｌには、それぞれ線ファスナーのスライダ５２Ｕ，５２Ｌが取り付けられている。このようにして、折り返し部分２６Ｂｂのテープ５０Ｂは、スライダ５２Ｌの操作により背面下部２６Ｌのテープ５０Ｌに、またスライダ５２Ｕの操作により背面上部２６Ｕのテープ５０Ｕに、それぞれ留めることが可能となっている。
なお、シートバック１４のサイドフレーム２１に固定された前記の収納ケース４０は、図１に示される通常の状態において、帯状部２６Ｂの固定部分２６Ｂａの下部から折り返し部分２６Ｂｂの下端までの範囲で開口するように配設されており、折り返し部分２６Ｂｂにより開閉される。
【００１３】
帯状部２６Ｂには、図１に示されるように２枚の樹脂板３０Ａ，３０Ｂが張られている。この樹脂板３０Ａ，３０Ｂが本発明でいう角度規定部材に相当する。２枚の樹脂板３０Ａ，３０Ｂの張られる箇所は、帯状部２６Ｂの裏面側における長手方向の中間部分であって互いに長手方向に隣接する２箇所である。以下、図１に示される通常の状態において、上に位置するものから順に第１の樹脂板３０Ａ、第２の樹脂板３０Ｂという。第１及び第２の樹脂板３０Ａ，３０Ｂの形状は、いずれも帯状部２６Ｂの幅方向全体に亘る矩形板形状である。これらの樹脂板３０Ａ，３０Ｂは布製の保持袋３２の中に並べた状態で入れられて、この保持袋３２の縁を帯状部２６Ｂに縫い付けることにより帯状部２６Ｂに固定されている。
樹脂板３０Ａ，３０Ｂはいずれも樹脂製であって、織物である帯状部２６Ｂよりも高い剛性を有する。このため、帯状部２６Ｂのうち各樹脂板３０Ａ，３０Ｂが張られた箇所の折り曲げは規制される。特に第２の樹脂板３０Ｂは帯状部２６Ｂの長手方向におけるちょうど中間位置を跨ぐように張られている。このため、帯状部２６Ｂは上方に折り返されると第２の樹脂板３０Ｂが張られた前後（通常の状態における上下）両側の位置で折れ曲がる。一方で第１の樹脂板３０Ａは帯状部２６Ｂの上記中間位置から外れた位置に張られている。このため、帯状部２６Ｂはこの第１の樹脂板３０Ａが張られた上側では折れ曲がらず、前記固定部分２６Ｂａの一部としてシートバック１４の背面を成したままの状態に留まる。
また前記の収納ケース４０の上部には、その上壁部から内側（下側）に分岐して開口内にて第１の樹脂板３０Ａと当接する当接部４４が設けられている。第１の樹脂板３０Ａは収納ケース４０の上開口縁とこの当接部４４の上下２箇所に対し常に接触しており、帯状部２６Ｂを上方に折り返す際においても第１の樹脂板３０Ａは収納ケース４０内に落ち込むことがない。
【００１４】
帯状部２６Ｂの折り返し部分２６Ｂｂの露出側の面（通常の状態における裏面）には、モバイル機器９０の取り付け装置６０が固定されている。取り付け装置６０の固定位置は、、折り返し部分２６Ｂｂのうち第２の樹脂板３０Ｂが張られていない部分の中央部に設定されている。この取り付け装置６０は、モバイル機器９０をシートバック１４に着脱可能とし、これにより当該シート１０の背後のシートの着座者がモバイル機器９０を手に持つことなく使用できるようにしたものである。図６には、この使用状態が示されている。
【００１５】
取り付け装置６０は、図３及び図４に示されるように、シート側構造６０Ｓとモバイル機器側構造６０Ｍとから構成される。
シート側構造６０Ｓは、図３に示されるように、概して基板６１、棒状金具６２、及び支持板６３を備える。基板６１は、矩形板形状の樹脂製部材であり、棒状金具６２と半円板形状の支持板６３は、一体的に成形された金属製部材である。また基板６１は、その縁部が帯状部２６Ｂの取り付け面に直接縫い付けられることにより固定されており、支持板６３は、基板６１に埋め込まれて固定されている。棒状金具６２は、支持板６３によりその両端を支持されて、基板６１から所定の距離に浮いた状態となっている。
モバイル機器側構造６０Ｍは、図４に示されるように、アーム部材６４、把持金具６６、把持金具の保持部６５、ねじ６７、及びねじを回すつまみ６８を備える。アーム部材６４と保持部６５とは一体的に成形されている。このうちアーム部材６４は、上下に延びる部分であり、モバイル機器９０を保持する保持具７０の背面と固定されて保持具７０を支持している。また保持部６５は、アーム部材６４の下端に設けられた部分であり、シート１０側に向かって開口する空間を内部に有しており、この空間内に把持金具６６を掴むようにして保持している。把持金具６６は、略Ｃ字形状の断面を有する金属製部材であり、略Ｃ字形状の切れ目からその内側に棒状金具６２を入れることが可能である。把持金具６６は、図５に示されるように、内側に撓んで内径を小さくすることが可能であり、内側に棒状金具６２が入った状態で内側に撓むことにより、摩擦により棒状金具６２を把持固定することができる。ねじ６７は、保持部６５の下側から内部の空間までを貫通するように保持部６５と螺合されており、回転により保持部６５に対して上下に移動可能である。ねじ６７の上端は保持部６５の内部において把持金具６６の外周面と接触しており、ねじ６７が上に移動すると把持金具６６を内側に撓ませる。ねじ６７の下端にはつまみ６８が設けられており、ねじ６７の回転はこのつまみ６８により操作される。
以上の構造により、シート側構造６０Ｓとモバイル機器側構造６０Ｍとを互いに固定することができる。なお把持金具６６の内側に棒状金具６２を入れる際のシート側構造６０Ｓとモバイル機器側構造６０Ｍの相対角度は変更可能である。
【００１６】
取り付け装置６０は、モバイル機器９０の機種の形状に特化した専用の保持具７０を備えている。なお本実施形態におけるモバイル機器９０は、表示部兼入力部であるタッチパネル９２を備えたタブレットコンピュータが想定されている。
保持具７０は、図６に示されるように、モバイル機器９０を立てた状態でその左右と下の縁を保持している。図４に示されるように、モバイル機器９０の左右の縁に沿ってスリット９４が設けられており、一方で保持具７０側には左右の保持部の内側にガイドレール７２が設けられている。モバイル機器９０は、スリット９４がガイドレール７２にガイドされながら上方から保持具７０に差し込まれることによって保持具７０に装着される。
【００１７】
以上のように構成される第１の実施形態は、以下のような作用効果を奏する。
この構成によれば、シートバック１４背面の表皮材２６のうち帯状部２６を上方に折り返すことができ、その帯状部２６Ｂの折り返し部分２６Ｂｂの裏面側にモバイル機器９０の取り付け装置６０が設けられている。このため、帯状部２６を折り返す簡単な操作により取り付け装置６０を取り出すことができ、よってモバイル機器９０を簡単に取り付けることができる。
この構成によれば、帯状部２６にこれより剛性の大きい樹脂板３０Ａ，３０Ｂが張られて設けられており、樹脂板３０Ａ，３０Ｂが張られた部分の帯状部２６の折り曲げが規制される。特に、第２の樹脂板３０Ｂは帯状部２６Ｂの中間位置を跨ぐように張られており、折り返しの際にこの第２の樹脂板３０Ｂが張られた部分の前後の位置で折れ曲がる。これにより、折り返し部分２６Ｂｂはファスナーにより背面上部２６Ｕに留められると、残りの固定部分２６Ｂａに完全に重なり合うことなく後方に浮いた状態となり、帯状部２６Ｂは全体として側面視において三角形の辺を成すような規定の立体的形状となる。したがって、折り返し部分２６Ｂｂのうち取り付け装置６０が固定された部分の角度が規定された向きに保たれる。これにより、取り付け装置６０の角度をモバイル機器９０の使用に適した向きに設定することができ、使用性が向上する。
この構成によれば、物品を収納可能な収納ケース４０がシートバック１４内に設けられており、収納ケース４０は帯状部２６Ｂの折り返し部分２６Ｂｂの位置に合わせて開口している。このため、折り返し部分２６Ｂｂの裏面側に設けられた取り付け装置６０は、折り返しを通常の状態に戻すことにより、使用しないときにはシートバック１４内に収納することができる。また折り返し部分２６Ｂｂの表側の面には余分な構成が設けられていないため、折り返しを通常の状態に戻せば意匠的に周辺の表皮材２６と一体化し、シートバック１４の背面の意匠性を損なうことがない。また、図７に示されるように、取り付け装置６０にモバイル機器９０を取り付けたままで帯状部２６Ｂの折り返しを通常の状態に戻せば、このモバイル機器９０ごと収納ケース４０に収納することもできる。
この構成によれば、帯状部２６Ｂに設けられた線ファスナーのテープ５０Ｂにより、上方に折り返された折り返し部分２６Ｂｂを背面上部２６Ｕと背面下部２６Ｌの両箇所のテープ５０Ｕ，５０Ｌに留めることができる。すなわち、背面上部２６Ｕに留める場合と背面下部２６Ｌに留める場合とで、対となるテープ（５０Ｂと５０Ｕ、５０Ｂと５０Ｌ）の片方が兼用されている。これにより、部材点数を削減することができる。
【００１８】
（第１の実施形態の変形例）
上記の第１の実施形態において、背面上部２６Ｕには線ファスナーのテープ５０Ｕが１本のみ設けられていた。しかし図８に示されるように背面上部２６Ｕの複数の高さ位置にテープ５０Ｕ，５０Ｕ，５０Ｕを設けることにより、帯状部２６Ｂの折り返し部分２６Ｂｂに設けられたテープ５０Ｂをこれらのテープ５０Ｕ，５０Ｕ，５０Ｕに対して選択的に留めることができる。これにより、折り返し部分２６Ｂｂに固定された取り付け装置６０の高さ位置を（同図の二点鎖線で示されるように）変化させることができ、モバイル機器９０を好みに応じてより最適な高さに調節した上で使用することができるという作用効果を奏する。
【００１９】
（第２の実施形態）
次に、図面を参照しながら本発明を実施するための第２の形態について説明する。
第２の実施形態は、第１の実施形態において樹脂板３０（角度規定部材）及び取り付け装置６０の構成を変更した実施形態である。なお第２の実施形態のうち、シート１０の基本構成、収納ケース４０、線ファスナーのテープ５０Ｕ，５０Ｂ，５０Ｌ、保持具７０等、前記の第１の実施形態から実質的な変更を要しない部分については、第１の実施形態と同一の符号を付して詳細な説明は省略する。
【００２０】
シートバック１４背面の表皮材２６に帯状部２６Ｂが設定されており、これを上方へ折り返し可能となっている点については第１の実施形態と同様である。しかし第２の実施形態は、第１の実施形態において帯状部２６Ｂの中間部分に張られて設けられていた樹脂板３０Ａ，３０Ｂを備えておらず、図１０に示されるように折り返された帯状部２６Ｂは弛んだ状態となる。第２の実施形態においてはこれに代えて、図９に示されるように、帯状部２６Ｂのうち折り返されない固定部分２６Ｂａの中央に樹脂板１３０が張られて設けられている。樹脂板１３０の固定方法は図示されないが、第１の実施形態の樹脂板３０Ａ，３０Ｂと同様、樹脂板１３０を保持袋に入れた状態で保持袋の縁部が帯状部２６Ｂに縫い付けられることにより固定されている。
樹脂板１３０は、板形状を有する樹脂製の剛性部材である。樹脂板１３０の上には、第１の面ファスナー１３４が張られている。一方、帯状部２６Ｂのうち折り返される折り返し部分２６Ｂｂにも、これと互いに張り合わせ及び引き剥がしが可能な第２の面ファスナー１３６が張られている。折り返し部分２６Ｂｂ上の第２の面ファスナー１３６の固定位置は、帯状部２６Ｂを折り返して線ファスナーにより背面上部２６Ｕに留められた図１０の状態としたときに固定部分２６Ｂａ上の第１の面ファスナー１３４と互いに張り合わさる対応位置に設定されている。
【００２１】
図１１に示されるように、帯状部２６Ｂの折り返し部分２６Ｂｂの露出側の面（通常の状態における裏面）には、モバイル機器９０の取り付け装置６０が固定されている。取り付け装置６０の固定位置は、面ファスナー１３６が張られた箇所の裏側に設定されている。取り付け装置１６０は、シート側構造１６０Ｓとモバイル機器側構造１６０Ｍとから構成され、互いに組み付け及び分解が可能となっている。図１１は組み付け状態の断面図を、図１２は分解状態の斜視図を示している。
シート側構造１６０Ｓは、本体となる概して円板形状の基板１６１を有する。基板１６１は、周縁部が中央部に比して薄くなっており、この部分が帯状部２６Ｂの折り返し部分２６Ｂｂに対して直接縫い付けられることにより固定されている。基板１６１の中央には、厚みを貫通する軸孔１６２が形成されている。軸孔１６２の内周壁には、外側へ断面Ｖ字状に窪んだ内周溝１６３が一周に亘って形成されている。また、軸孔１６２が形成された周辺部の表面には、図１２に示されるように、４個の位置決め穴１６４が形成されている。位置決め穴１６４の形成位置は、軸孔１６２を中心とする同一円上の９０度ごとの位置に設定されている。
モバイル機器側構造１６０Ｍもまた、本体となる概して円板形状の基板１６５を有する。基板１６５は、図１１に示されるように、モバイル機器９０の保持具７０の背面と固定されており、保持具７０を支持している。基板１６５の中央の表面には、円柱形状に突出する軸１６６が設けられており、軸１６６の外周壁には、外側へ断面山形状に隆起した外周爪１６７が一周に亘り設けられている。組み付け状態においては、軸１６６が前記の軸孔１６２に、外周爪１６７が内周溝１６３にそれぞれ嵌合している。軸孔１６２の内径は、軸１６６の外径よりは大きいが外周爪１６７の最大径よりは小さく設定されている。しかしシート側構造１６０Ｓとモバイル機器側構造１６０Ｍは、いずれも可撓性を有する樹脂製の部材である。このため、両者を組み付け及び分解する際には、外周爪１６７を撓ませながら軸１６６を軸孔１６２内を通すことができる。
また、軸１６６が形成された周辺部の表面には、図１２に示されるように、４個の位置決め突起１６８が設けられている。位置決め突起１６８の形成位置は、位置決め穴１６４と対応させて、軸１６６を中心とする同一円状の９０度ごとの位置とされている。
【００２２】
以上のように構成される第２の実施形態は、前記の第１の実施形態と同様の作用効果とともに、以下のような作用効果を奏する。
この構成によれば、シートバック１４背面の表皮材２６の帯状部２６Ｂのうち、折り返されない固定部分２６Ｂａに剛性を有する樹脂板１３０が張られて設けられている。また、折り返しにより折り返し部分２６Ｂｂが固定部分２６Ｂａに重ねられると、それぞれに張られて設けられた面ファスナー１３４，１３６が互いに接着する。第１の面ファスナー１３４は樹脂板１３０の上に張られており、モバイル機器９０の取り付け装置７０は第２の面ファスナーが張られた部分の裏側に固定されている。このため、図１０に示されるように、取り付け装置６０の角度が樹脂板１３０の剛性により規定のの向きに保たれる。これにより、取り付け装置６０の角度をモバイル機器９０の使用に適した向きに設定することができ、使用性が向上する。
またこの構成によれば、取り付け装置１６０には、互いに嵌合する位置決め突起１６８及び位置決め穴１６４を備えている。組み付け状態においては位置決め突起１６８が位置決め穴１６４に嵌合しており、基本的にはシート側構造１６０Ｓとモバイル機器側構造１６０Ｍの相対回転はできない。しかし、組み付け状態のままでも位置決め突起１６８を撓ませながら回転させることが可能であり、９０度ごとの４方向に位置決め固定することができる。これにより、図１３に矢印にて示されるように、モバイル機器９０の使用に際して９０度ごとの好みの向きに回転させることができる。この効果は、モバイル機器９０が自身の姿勢をリアルタイムで検知し、これに応じてタッチパネル９２の表示内容を自動で可読方向に切り替える機能を有する場合において特に有効となる。
【００２３】
なお、本発明に係る車両用シートは、上記の第１及び第２の実施形態に限定されるものではなく、その他各種の形態で実施できるものである。
第１及び第２の実施形態において、帯状部２６Ｂはシートバック１４の背面において上下方向に延設されているが、下部が上方に折り返し可能とされていれば、左右の幅よりも上下の長さのほうが長くなっている必要はない。また、その形状は矩形である必要はない。
第１及び第２の実施形態において、帯状部２６Ｂに張られて設けられる樹脂板３０Ａ，３０Ｂ，１３０は板形状を有するものであった。しかし帯状部２６Ｂに固定される取り付け装置６０の角度を規定の向きに設定する限りにおいて、ブロック状、棒状等の種々の形状の樹脂板としても良い。
第１及び第２の実施形態において、折り返し部分２６Ｂｂの下端はシートバック１４の背面上部２６Ｕ及び背面下部２６Ｌに対して線ファスナーにより留められるものであった。しかしこれに代えて、スナップボタンや面ファスナー等の着脱可能な種々のファスナーを用いてもよい。
【符号の説明】
【００２４】
１０   （車両用）シート
１２   シートクッション
１４   シートバック
１４Ｂ 背凭れ部
１４Ｈ ヘッドレスト部
２０   シートバックフレーム
２１   サイドフレーム
２２   アッパフレーム
２３   ヘッドレストフレーム
２４   パッド材
２６   表皮材
２６Ｕ 背面上部
２６Ｌ 背面下部
２６Ｂ 帯状部
２６Ｂａ      固定部分
２６Ｂｂ      折り返し部分
３０Ａ 第１の樹脂板（第１の実施形態）
３０Ｂ 第２の樹脂板（第１の実施形態）
３２   保持袋
１３０ 樹脂板（第２の実施形態）
１３４ 第１の面ファスナー
１３６ 第２の面ファスナー
４０   収納ケース
４２   クリップ
４４   当接部
５０Ｂ，５０Ｌ，５０Ｕ      テープ
５２Ｌ，５２Ｕ       スライダ
６０   取り付け装置（第１の実施形態）
６０Ｓ シート側構造
６１   基板
６２   棒状金具
６３   支持板
６０Ｍ モバイル機器側構造
６４   アーム部材
６５   保持部
６６   把持金具
６７   ねじ
６８   つまみ
１６０ 取り付け装置（第２の実施形態）
１６０Ｓ      シート側構造
１６１ 基板
１６２ 軸孔
１６３ 内周溝
１６４ 位置決め穴
１６０Ｍ      モバイル機器側構造
１６５ 基板
１６６ 軸
１６７ 外周爪
１６８ 位置決め突起
７０   保持具
７２   ガイドレール
９０   モバイル機器
９２   タッチパネル
９４   スリット
【図１】
2013112034.tif 000003
【図２】
2013112034.tif 000004
【図３】
2013112034.tif 000005
【図４】
2013112034.tif 000006
【図５】
2013112034.tif 000007
【図６】
2013112034.tif 000008
【図７】
2013112034.tif 000009
【図８】
2013112034.tif 000010
【図９】
2013112034.tif 000011
【図１０】
2013112034.tif 000012
【図１１】
2013112034.tif 000013
【図１２】
2013112034.tif 000014
【図１３】
2013112034.tif 000015